(57)【特許請求の範囲】
【請求項１】
通常の巻取モードに加えて高速巻取モードを有する情報記録再生機器において、装填されたテープカセットの供給側リールと巻取側リールの回転周期を測定するリール周期測定手段と、このリール周期測定手段によって測定された供給側リールの回転周期Ｔｓと巻取側リールの回転周期Ｔｔとの比Ｎを算出する回転周期比算出手段と、前記リール周期測定手段によって測定された供給側リールの回転周期Ｔｓと巻取側リールの回転周期Ｔｔとに基づき、Ｔｓ＊＊２＋Ｔｔ＊＊２（＊＊：べき乗）の演算式で定まるテープカセットの種類ごとに固有の値Ａを算出する固有値算出手段と、前記回転周期比Ｎと前記固有値Ａとに基づいて、機器に装填されたテープカセットの種類を判別する種類判別手段とを備え、高速巻戻しモード時、前記種類判別手段は、前記回転周期比Ｎの値をＴｓ／Ｔｔとして求めるとともに、この回転周期比Ｎの値が１．０より小さいときに、前記固有値Ａに基づいて判別したテープ種類が細ハブタイプである場合には、その判別結果を仮値として、低速でテープを巻き戻し、前記回転周期比Ｎの値がほぼ１．０になったとき、前記固有値Ａに基づいてテープ種類を再度判別し、その判別結果に基づいて細ハブタイプのテープカセットか規格外のテープカセットかを判別することを特徴とする情報記録再生機器のテープ種類判別装置。
【請求項２】
通常の巻取モードに加えて高速巻取モードを有する情報記録再生機器の高速巻戻しモード時のテープ種類判別方法であって、装填されたテープカセットの供給側リールの回転周期Ｔｓと巻取側リールの回転周期Ｔｔとに基づいて、回転周期比ＮをＴｓ／Ｔｔの演算式で求めるとともに、テープカセットの種類ごとに定まる固有値ＡをＴｓ＊＊２＋Ｔｔ＊＊２（＊＊：べき乗）の演算式で求め、前記回転周期比Ｎの値が１．０より小さいときに、前記固有値Ａに基づいて判別したテープ種類が細ハブタイプである場合には、その判別結果を仮値として、低速でテープを巻き戻し、前記回転周期比Ｎの値がほぼ１．０になったとき、前記固有値Ａに基づいてテープ種類を再度判別し、その判別結果に基づいて細ハブタイプのテープカセットか規格外のテープカセットかを判別することを特徴とする情報記録再生機器のテープ種類判別方法。
【請求項３】
通常の巻取モードに加えて高速巻取モードを有する情報記録再生機器の高速巻戻しモード時のテープ種類判別方法であって、装填されたテープカセットの供給側リールの回転周期と巻取側リールの回転周期とに基づいて、回転周期比Ｎを求めるとともに、テープカセットの種類ごとに定まる固有値Ａを求め、前記回転周期比Ｎの値がほぼ１の値となったとき、その時点で算出される前記固有値Ａに基づいて、装填されているテープカセットが細ハブタイプのテープカセットか規格外のテープカセットかを判別することを特徴とする情報記録再生機器のテープ種類判別方法。
【請求項４】
前記供給側リールの回転周期をＴｓ、巻取側リールの回転周期をＴｔとすると、前記回転周期比Ｎが、Ｔｓ／Ｔｔの演算式で定まる値であり、前記固有値Ａが、Ｔｓ＊＊２＋Ｔｔ＊＊２（＊＊：べき乗）の演算式で定まる値であることを特徴とする請求項３に記載の情報記録再生機器のテープ種類判別方法。
【発明の詳細な説明】
【０００１】
【発明の属する技術分野】
本発明は、通常の巻取モードに加えて高速巻取モードを有する情報記録再生機器に係り、より詳細には、高速巻戻しモード（高速ＲＥＷモード）時において、細ハブタイプのテープカセットと、規格外のテープカセットであるＶＨＳ−Ｃテープカセット（以下、Ｃカセタイプともいう）とを判別可能な情報記録再生機器のテープ種類判別装置及びテープ種類判別方法に関する。
【０００２】
【従来の技術】
最近のビデオカセットレコーダは、テープの巻取りをより早く行うために、通常の巻取モードに加えて高速巻取モードを備えている。
【０００３】
高速巻取モードとは、テープカセットの種類（すなわち、リールハブ径）やテープ残量によって早送り時（ＦＦ時）及び巻戻し時（ＲＥＷ時）の巻取り速度を複数段階に変化させるもので、例えば１２０分テープでは、テープの初めから終わりまで約１分程度で巻き取ることができる。
【０００４】
また、リールハブ径には、６２ｍｍの太ハブタイプと、２６ｍｍの細ハブタイプとがあり、一般的に３０分テープや６０分テープは太ハブタイプ、９０分テープや１２０分テープなどは細ハブタイプとなっている。
【０００５】
高速巻取モードでは、このリールハブ径の違い（太ハブタイプ、細ハブタイプ）によってテープ巻取り速度の制御方法が異なるため、テープカセットを機器本体に装填し、最初の巻取モードを実行する時点で、リールハブ径を判別する必要がある。
【０００６】
従来のリールハブ径の判別は、下記の演算式（１）の演算値Ａに基づいて行っている。
【０００７】
Ｔｔ＊＊２＋Ｔｓ＊＊２＝Ａ（＊＊：べき乗算）    ・・・（１）
【０００８】
ただし、Ｔｔ：巻取側リールのリールパルス周期、Ｔｓ：供給側リールのリールパルス周期である。
【０００９】
すなわち、（１）式は、供給側リールの１回転の周期の２乗と巻取側リールの１回転の周期の２乗との和を求める演算式となっている。
【００１０】
この値Ａは、テープカセットの種類（太ハブタイプ、細ハブタイプ、Ｃカセタイプ等）によって決まる固有値であり、この固有値Ａによって太ハブタイプ、細ハブタイプ、Ｃカセタイプを区別することができる。
【００１１】
一方、このようにしてリールハブ径の判別を行った後は、その判別したリールハブ径に対応した速度モードで巻取モード時のテープ速度の切り換え制御を行うことになる。
【００１２】
ここで、巻取モード時のテープ速度の切り換えは、供給側リール（又は巻取側リール）のテープ残量を推測しながら行うことになるが、このテープ残量を推測する方法として、例えば、供給側リールのリールパルス周期Ｔｓと巻取側リールのリールパルス周期Ｔｔとの比〔下式（２）、（３）〕を用い、その値Ｎに基づいてテープ速度の切り換えを行うようになっているものがある。
【００１３】
ＦＦモードの場合  ：  Ｎ＝Ｔｔ／Ｔｓ      ・・・（２）
ＲＥＷモードの場合：  Ｎ＝Ｔｓ／Ｔｔ      ・・・（３）
【００１４】
すなわち、Ｎ値が小さいほど、供給側リールのテープ残量が多く、Ｎ値が大きいほど、供給側リールのテープ残量が少ないことになる。
そして、高速ＦＦモード時と高速ＲＥＷモード時とで共通の基準値を設け、Ｎ値がこの基準値よりも大きくなったときに高速テープ送りを減速する制御を行って、高速走行のままテープ端位置とならないようにしている。
【００１５】
一方、同じテープ残量に対するＮ値がＦＦモード時とＲＥＷモード時とで異なるＣカセタイプのテープカセットが機器に装填されているときは、高速テープ送り時にＮ値を算出しても、上記基準値より大きくならないことがあるため、高速走行のままテープ端位置となってしまうことがある。ここで、ＶＨＳ規格のＣカセタイプのテープカセットが装填されているときの固有値Ａは２．２以下となるので、Ａ≦２．２のときにはＣカセタイプのテープカセットと判別し、高速テープ送りを実行しないようになっている。
【００１６】
ところで、最近、ＶＨＳの規格に追加された７０分〜９０分の細ハブタイプのテープカセットの場合、固有値Ａが２．２以下となり、Ｃカセタイプのテープカセットと判別される。そのため、７０分〜９０分の細ハブタイプのテープカセットでは、高速テープ送りが行われず、ＦＦ／ＲＥＷに時間がかかるといった問題があった。
【００１７】
そこで、本出願人は、７０分〜９０分の細ハブタイプのテープカセットが装填され、Ｃカセタイプのテープカセットと判別された場合でも、高速テープ送りを実行できるようにしたＦＦ／ＲＥＷ制御装置を提案している（実用新案登録第３０７６４２５号公報）。
【００１８】
このＦＦ／ＲＥＷ制御装置は、７０分〜９０分の細ハブタイプのテープカセットとＣカセタイプのテープカセットとを特に区別せず、Ｃカセタイプのテープカセットでも高速テープ送りができるように、高速ＦＦモード時と高速ＲＥＷモード時とでそれぞれＮ値とテープ走行速度の倍速比との対応関係を設け、高速ＦＦモード時と高速ＲＥＷモード時とで異なる制御を行っていた。
【００１９】
【発明が解決しようとする課題】
上記のＦＦ／ＲＥＷ制御装置では、７０分〜９０分の細ハブタイプのテープカセットが装填され、Ｃカセタイプのテープカセットと判別された場合でも、Ｃカセタイプのテープカセットに合わせた高速テープ送りが実行できるため、その分、ＲＥＷ時間が短縮されることになる。
【００２０】
しかしながら、７０分〜９０分の細ハブタイプのテープカセットで行われる高速テープ送りは、あくまでＣカセタイプのテープカセットに合わせた高速テープ送り制御であるため、ＲＥＷ時間が十分に短縮されているとは言えないといった課題が残されていた。つまり、７０分〜９０分の細ハブタイプのテープカセットと、Ｃカセタイプのテープカセットとが判別できれば、７０分〜９０分の細ハブタイプのテープカセットについて専用の高速テープ送り制御が実現でき、ＲＥＷ時間がより短縮できることになる。そのため、７０分〜９０分の細ハブタイプのテープカセットと、Ｃカセタイプのテープカセットとをどのようにして判別するかが課題として残されていた。
【００２１】
本発明はかかる課題に鑑みて創案されたもので、その目的は、高速ＲＥＷモード時において、７０分〜９０分の細ハブタイプのテープカセットと、Ｃカセタイプのテープカセットとの判別を確実に行うことのできる情報記録再生機器のテープ種類判別装置及びテープ種類判別方法を提供することにある。
【００２２】
【課題を解決するための手段】
本発明の情報記録再生機器のテープ種類判別装置は、装填されたテープカセットの供給側リールと巻取側リールの回転周期を測定するリール周期測定手段と、このリール周期測定手段によって測定された供給側リールの回転周期Ｔｓと巻取側リールの回転周期Ｔｔとの比Ｎを算出する回転周期比算出手段と、前記リール周期測定手段によって測定された供給側リールの回転周期Ｔｓと巻取側リールの回転周期Ｔｔとに基づき、Ｔｓ＊＊２＋Ｔｔ＊＊２（＊＊：べき乗）の演算式で定まるテープカセットの種類ごとに固有の値Ａを算出する固有値算出手段と、前記回転周期比Ｎと前記固有値Ａとに基づいて、機器に装填されたテープカセットの種類を判別する種類判別手段とを備えている。そして、高速巻戻しモード時、前記種類判別手段は、前記回転周期比Ｎの値をＴｓ／Ｔｔとして求めるとともに、この回転周期比Ｎの値が１．０より小さいときに、前記固有値Ａに基づいて判別したテープ種類が細ハブタイプである場合には、その判別結果を仮値として、低速でテープを巻き戻し、前記回転周期比Ｎの値がほぼ１．０になったとき、前記固有値Ａに基づいてテープ種類を再度判別し、その判別結果に基づいて細ハブタイプのテープカセットか規格外のテープカセットかを判別することを特徴とする。
【００２３】
また、本発明の情報記録再生機器のテープ種類判別方法は、高速巻戻しモード時のテープ種類判別方法であって、装填されたテープカセットの供給側リールの回転周期Ｔｓと巻取側リールの回転周期Ｔｔとに基づいて、回転周期比ＮをＴｓ／Ｔｔの演算式で求めるとともに、テープカセットの種類ごとに定まる固有値ＡをＴｓ＊＊２＋Ｔｔ＊＊２（＊＊：べき乗）の演算式で求め、前記回転周期比Ｎの値が１．０より小さいときに、前記固有値Ａに基づいて判別したテープ種類が細ハブタイプである場合には、その判別結果を仮値として、低速でテープを巻き戻し、前記回転周期比Ｎの値がほぼ１．０になったとき、前記固有値Ａに基づいてテープ種類を再度判別し、その判別結果に基づいて細ハブタイプのテープカセットか規格外のテープカセットかを判別することを特徴とする。
【００２４】
このような特徴を有する本発明によれば、高速巻戻しモード時、回転周期比Ｎの値がほぼ１．０になったとき、固有値Ａに基づいてテープ種類を再度判別し、その判別結果に基づいて細ハブタイプのテープカセットか７０分〜９０分の細ハブタイプのテープカセットかを判別する。このような判別方法によって、装填されたテープカセットが７０分〜９０分の細ハブタイプのテープカセットかＣカセタイプのテープカセットかを判別することができる。
【００２５】
すなわち、Ｃカセタイプのテープカセットが装填されている場合、図２に示すように、高速巻戻しモード時には、テープ位置が中間となったところでＮ値が１．０とはならず、中間よりも始端側でＮ値が１．０となる。つまり、高速巻戻しモード時、テープ位置が実際に中間となったときのＮ値は約０．６となっている。これは、Ｃカセタイプのテープカセットをビデオデッキに装填する際に使用するカセット変換アダプタに、変換比が１ではないギアが組み込まれており、テープカセットのリールがこのギアを介して回転するためである。
【００２６】
そのため、Ｃカセタイプのテープカセットの固定値Ａは、Ｎ値が１．０より十分小さいところ（すなわち、供給側リールのテープ残量が少なく、巻取側リールのテープ残量が多い状態）で演算した場合と、Ｎ値が１．０に近いところ（すなわち、供給側リールのテープ残量が多く、巻取側リールのテープ残量が少ない状態）で演算した場合とで、異なった値となる。
【００２７】
例えば、Ｎ値が１．０より十分小さいところでは、固定値Ａは、Ａ≦２．２の値となるが、Ｎ値が１．０に近いところでは、おおよそ、１．３＜Ａ≦１．９の範囲の値となる。一方、７０分〜９０分の細ハブタイプのテープカセットでは、Ｎ値に係わらず、固定値Ａは、おおよそ、１．９＜Ａ≦２．２の範囲の値となる。
【００２８】
つまり、Ｎ値が１．０より十分小さいところでは、Ｃカセタイプのテープカセットと７０分〜９０分の細ハブタイプのテープカセットの固定値Ａが重複する部分があるため、固定値Ａではテープ種類を判別できない場合があるが、Ｎ値が１．０に近いところでは、Ｃカセタイプのテープカセットと７０分〜９０分の細ハブタイプのテープカセットとの判別が可能であることがわかる。
本発明に係わるテープ種類判別装置及びテープ種類判別方法は、上記の点に着目して創案したものである。
【００２９】
【発明の実施の形態】
以下、本発明の実施の形態について、図面を参照して説明する。
図１は、本発明の情報記録再生機器であるビデオカセットレコーダの主要部（本発明に係わる部分のみ）の構成を示すブロック図である。
【００３０】
図において、符号１は図示しない機器本体に装填されたテープカセットであり、供給側リール２及び巻取側リール３は、リール駆動手段４によって記録、再生、早送り（ＦＦ）、巻き戻し（ＲＥＷ）等の各種動作モードに合わせた回転駆動制御が行われるようになっている。このリール駆動手段４は、システムコントローラ５に接続されたサーボコントローラ５ａによって制御されている。
【００３１】
また、機器本体には、装填されたテープカセット１の供給側リール２の回転速度（リール周期）を検出する供給側リールセンサ６、及び巻取側リール３の回転速度（リール周期）を検出する供給側リールセンサ７がそれぞれ設けられており、供給側リールセンサ６の出力及び巻取側リールセンサ７の出力が、システムコントローラ５に導かれている。また、システムコントローラ５には、図示しない記録ボタン、再生ボタン、早送り（ＦＦ）ボタン、巻き戻し（ＲＥＷ）ボタン、停止ボタン等の各種機能ボタンを備えた操作入力部１１の出力が導かれた構成となっている。
【００３２】
そして、本実施の形態では、システムコントローラ５が、装填されたテープカセット１の供給側リール２と巻取側リール３の回転周期Ｔｓ，Ｔｔをそれぞれ測定するリール周期測定手段としての機能と、測定した供給側リール２の回転周期Ｔｓと巻取側リール３の回転周期Ｔｔとの比Ｎを算出する回転周期比算出手段としての機能と、測定した供給側リール２の回転周期Ｔｓと巻取側リール３の回転周期Ｔｔとに基づき、Ｔｓ＊＊２＋Ｔｔ＊＊２（＊＊：べき乗）の演算式で定まるテープカセットの種類ごとに固有の値Ａを算出する固有値算出手段としての機能と、算出した回転周期比Ｎと前記固有値Ａとに基づいて、機器本体内に装填されたテープカセット１の種類を判別する種類判別手段としての機能とを備えている。
【００３３】
ここで、判別するテープの種類としては、大きく分けて、太ハブタイプ、細ハブタイプ、Ｃカセタイプの３種類があり、詳細は省略するが、高速ＦＦモード時には、これら３タイプを固有値Ａに基づいて判別することができる。従って、それぞれのタイプに応じた速度切り換え制御プログラムを予め用意しておくことで、各タイプに応じた最適な高速ＦＦモードを実行することができる。
【００３４】
一方、高速ＲＥＷモード時、７０分〜９０分の細ハブタイプのテープカセットとＣカセタイプのテープカセットとについては、測定されるＮ値によって固有値Ａが重複する場合があるため、判別できない場合がある。
【００３５】
すなわち、Ｃカセタイプのテープカセットが装填されている場合、図２に示すように、高速ＲＥＷモード時には、テープ位置が中間となったところでＮ値が１．０とはならず、中間よりも始端側でＮ値が１．０となる。つまり、高速ＲＥＷモード時、テープ位置が実際に中間となったときのＮ値は約０．６となっている。
【００３６】
そのため、Ｃカセタイプのテープカセットの固定値Ａは、Ｎ値が１．０より十分小さいところ（すなわち、供給側リールのテープ残量が少なく、巻取側リールのテープ残量が多い状態）で演算した場合と、Ｎ値が１．０に近いところ（すなわち、供給側リールのテープ残量が多く、巻取側リールのテープ残量が少ない状態）で演算した場合とで、異なった値となる。
【００３７】
具体的には、Ｎ値が１．０より十分小さいところでは、固定値Ａは、Ａ≦２．２の値となるが、Ｎ値が１．０に近いところでは、おおよそ、１．３＜Ａ≦１．９の範囲の値となる。一方、７０分〜９０分の細ハブタイプのテープカセットでは、Ｎ値に係わらず、固定値Ａは、おおよそ、１．９＜Ａ≦２．２の範囲の値となる。
【００３８】
つまり、Ｎ値が１．０より十分小さいところでは、Ｃカセタイプのテープカセットの固定値Ａと７０分〜９０分の細ハブタイプのテープカセットの固定値Ａとが重複する部分があるため、固定値Ａではテープ種類を判別できない場合があるが、Ｎ値が１．０に近いところでは、Ｃカセタイプのテープカセットと７０分〜９０分の細ハブタイプのテープカセットとの判別が可能であることがわかる。
【００３９】
因みに、高速ＲＥＷモード時において、Ｎ値が１．０のときに演算した、各カセットタイプの固有値Ａの一例を図３に示している。すなわち、固有値ＡがＡ≦１．３となるのは、Ｃカセタイプのテープカセットと６０分以下の細ハブタイプのテープカセットであり、１．３＜Ａ≦１．９の範囲の値となるのは、Ｃカセタイプのテープカセットと６０分〜７０分の細ハブタイプのテープカセットであり、１．９＜Ａ≦２．２の範囲の値となるのは７０分〜９０分の細ハブタイプのテープカセットである。また、固有値ＡがＡ＞３．５となるのは、太ハブタイプのテープカセットである。ただし、この固有値Ａの閾値は一例であり、演算するときの倍速比が変われば、固有値Ａの閾値も当然変わることになる。
【００４０】
本実施の形態では、この点に着目して、Ｃカセタイプのテープカセットと７０分〜９０分の細ハブタイプのテープカセットとの判別を行っている。
【００４１】
次に、このＣカセタイプのテープカセットと７０分〜９０分の細ハブタイプのテープカセットとの判別処理動作について、図４に示すフローチャートを参照して説明する。
【００４２】
高速ＲＥＷモード時、システムコントローラ５は、上記（３）式により、Ｎ値（＝Ｔｓ／Ｔｔ）を算出し、その算出したＮ値が、Ｎ＜１．０であるか否かを判断する（ステップＳ１）。
【００４３】
その結果、Ｎ＜１．０でない場合（ステップＳ１でＮｏと判断された場合）には、供給側リール２のテープ残量が巻取側リール３のテープ残量より多いので、上記（１）式により、装填されているテープカセット１の固有値Ａを算出し（ステップＳ２）、その算出値に基づいて装填されているテープ種類を判別する（ステップＳ３）。上記したように、この状態で算出した固有値Ａは、各カセットタイプに固有の値であり、かつ、Ｃカセタイプのテープカセットの固有値Ａと、７０分〜９０分の細ハブタイプのテープカセットの固有値Ａとが区別できる値となるので、この場合には、その判別結果をもって装填されたテープカセットのテープ種別とする。つまり、ステップＳ３で判別された結果に基づいて、予め用意されているそのテープ種別の高速ＲＥＷモード時の速度切り換え制御プログラムに従って、高速ＲＥＷモードを実行する。
【００４４】
一方、算出したＮ値が、Ｎ＜１．０である場合（ステップＳ１でＹｅｓと判断された場合）には、供給側リール２のテープ残量が巻取側リール３のテープ残量より少ないので、上記（１）式により、装填されているテープカセット１の固有値Ａを算出し（ステップＳ４）、その算出値に基づいて装填されているテープ種類を判別する（ステップＳ５）。上記したように、この状態で算出した固有値Ａは、Ｃカセタイプのテープカセットの固有値Ａと、７０分〜９０分の細ハブタイプのテープカセットの固有値Ａとが重複する部分があるため、固定値ＡではＣカセタイプのテープカセットと、７０分〜９０分の細ハブタイプのテープカセットとを正しく判別することができない。そのため、算出した固有値Ａの結果、例えば７０分〜９０分の細ハブタイプのテープカセットと判別された場合（ステップＳ６でＹｅｓと判断された場合）には、装填されているテープカセットはＣカセタイプのテープカセットである可能性もあるので、このときの判別結果は仮の結果として（ステップＳ７）、その後の処理を行う。
【００４５】
一方、算出した固有値Ａが、Ｃカセタイプのテープカセットや７０分〜９０分の細ハブタイプのテープカセットの固有値Ａとは異なる固有値である場合（ステップＳ６でＮｏと判断された場合）には、ステップＳ３へと動作を進め、その固有値Ａによる判別結果をもって装填されたテープカセットのテープ種別とする。つまり、ステップＳ３で判別された結果に基づいて、予め用意されているそのテープ種別の高速ＲＥＷモード時の速度切り換え制御プログラムに従って、高速ＲＥＷモードを実行する。
【００４６】
一方、ステップＳ７で判別結果を仮の判別結果（仮値）とした場合には、テープをある程度遅い速度で巻き戻す（ステップＳ８）。
【００４７】
システムコントローラ５は、この巻き戻し動作において、上記（３）式により、Ｎ値（＝Ｔｓ／Ｔｔ）を常に算出し、その算出したＮ値が、Ｎ＜１．０となったか否かを判断する（ステップＳ９）。
【００４８】
その結果、Ｎ＜１．０となった場合（ステップＳ９でＹｅｓと判断された場合）には、巻き戻し動作を一旦停止して（ステップＳ１０）、上記（１）式により、装填されているテープカセット１の固有値Ａを再度算出し（ステップＳ１１）、その算出値に基づいて装填されているテープ種類を判別する（ステップＳ１２）。
【００４９】
すなわち、ステップＳ１２では、算出した固有値Ａが、１．９＜Ａ≦２．２の範囲内か否かを判断し、１．９＜Ａ≦２．２の範囲内である場合（ステップＳ１２でＹｅｓと判断された場合）には、装填されているテープカセットが７０分〜９０分の細ハブタイプのテープカセットであると判断する（ステップＳ１３）。そして、その後は、７０分〜９０分の細ハブタイプのテープカセットとして予め用意されている高速ＲＥＷモード時の速度切り換え制御プログラムに従って、高速ＲＥＷモードを実行する。
【００５０】
一方、ステップＳ１２において、算出した固有値Ａが、１．９＜Ａ≦２．２の範囲内でないと判断された場合（ステップＳ１２でＮｏと判断された場合）には、次のステップＳ１４において、算出した固有値Ａが、１．３＜Ａ≦１．９の範囲内か否かを判断し、１．３＜Ａ≦１．９の範囲内である場合（ステップＳ１４でＹｅｓと判断された場合）には、装填されているテープカセットがＣカセタイプのテープカセットまたは６０分〜７０分の細ハブタイプのテープカセットであると判断する（ステップＳ１５）。そして、その後は、Ｃカセタイプのテープカセットとして予め用意されている高速ＲＥＷモード時の速度切り換え制御プログラムに従って、高速ＲＥＷモードを実行する。
【００５１】
一方、ステップＳ１４において、算出した固有値Ａが、１．３＜Ａ≦１．９の範囲内でない（すなわち、Ａ≦１．３）と判断された場合（ステップＳ１４でＮｏと判断された場合）には、装填されているテープカセットがＣカセタイプのテープカセットまたは６０分以下の細ハブタイプのテープカセットであると判断する（ステップＳ１６）。そして、その後は、Ｃカセタイプのテープカセットとして予め用意されている高速ＲＥＷモード時の速度切り換え制御プログラムに従って、高速ＲＥＷモードを実行する。
【００５２】
【発明の効果】
本発明に係わる情報記録再生機器のテープ種類判別装置及びテープ種類判別方法によれば、高速巻戻しモード時、回転周期比Ｎの値がほぼ１．０になったとき、固有値Ａに基づいてテープ種類を再度判別し、その判別結果に基づいて細ハブタイプのテープカセットか規格外のテープカセットかを判別するように構成したので、装填されたテープカセットが７０分〜９０分の細ハブタイプのテープカセットか、Ｃカセタイプのテープカセットかを正確に判別することができる。そのため、その後の高速巻戻しモードを、装填されているテープ種別に応じて予め用意されている最適な速度切り換え制御プログラムに従って実行することができる。
【図面の簡単な説明】
【図１】本発明の情報記録再生機器であるビデオカセットレコーダの主要部の構成を示すブロック図である。
【図２】Ｃカセタイプのテープカセットのテープ位置と回転周期比との関係を示すグラフである。
【図３】高速ＲＥＷモード時において、Ｎ値が１．０のときに演算した、各カセットタイプの固有値Ａの一例を示す説明図である。
【図４】Ｃカセタイプのテープカセットと７０分〜９０分の細ハブタイプのテープカセットとの判別処理動作を説明するためのフローチャートである。
【符号の説明】
１  テープカセット
２  供給側リール
３  巻取側リール
４  リール駆動手段
５  システムコントローラ
５ａ  サーボコントローラ
６  供給側リールセンサ（リール周期測定手段）
７  巻取側リールセンサ（リール周期測定手段）
１１  操作入力部
【図１】
0003785636.tif 000002
【図２】
0003785636.tif 000003
【図３】
0003785636.tif 000004
【図４】
0003785636.tif 000005